(57)【要約】  【課題】  既製の椅子に簡単に取り付けて使用できるマッサージ用器具を安価に提供する。  【解決手段】  ２つの挟持板２１、２１の軸受用突起２２、２２を対向させその凹溝２３、２３に回転軸３１を嵌め込む。この状態で板ばね４を挟持板２１の収納溝に沿って嵌め込み、その先端の係止部４１を係止溝に嵌め込んで固定する。挟持板２１の裸子溝に指圧用突起５の螺子棒５４を螺合して、着脱自在に取り付けることができる。このようにして構成されたマッサージ用器具１を椅子の背もたれ部に２個取り付ける。その際、使用者の症状や好みに応じて指圧用突起５の種類と数を選んで取り付けことができる。  【選択図】 図２
0003119262.tif 000002
【実用新案登録請求の範囲】
【請求項１】
その一端に設けられたヒンジ部材によって開閉自在に結合された２枚の挟持板、該２枚の挟持板が互いに閉じる方向に付勢されたバネ部材および上記２枚の挟持板の少なくとも一方の表面に取り付けられた少なくとも１個の指圧用突起を備えたことを特徴とするマッサージ用器具。
【請求項２】
上記バネ部材が板バネよりなることを特徴とする請求項１記載のマッサージ用器具。
【請求項３】
上記バネ部材が螺旋バネよりなることを特徴とする請求項１記載のマッサージ用器具。
【請求項４】
上記指圧用突起が着脱自在に上記狭持板に取り付けられていることを特徴とする請求項１記載のマッサージ用器具。
【請求項５】
上記指圧用突起の形状が、球形、卵型および先端を丸くした円錐体よりなる群よりなる形状から選ばれたいずれか1種よりなることを特徴とする請求項１記載のマッサージ用器具。
【請求項６】
上記指圧用突起が球形の表面に多数の扁平球形の突起をはめ込んだ形状をしていることを特徴とする請求項５記載のマッサージ用器具。
【請求項７】
上記指圧用突起がプラスチック製、硬質ゴム製、陶器製、金属製、木製の群よりなる材料から選ばれたいずれか１種より構成されていることを特徴とする請求項１、請求項４、請求項５および請求項６のいずれか1項に記載のマッサージ用器具。
【考案の詳細な説明】
【技術分野】
【０００１】
本考案は、首筋や背中の凝りをほごすための指圧用のマッサージ用器具、特に椅子の背もたれに着脱自在に取り付けて、椅子に座った状態で首筋や背中を指圧できるマサージ用器具に関する。
【背景技術】
【０００２】
従来より、椅子自体にマッサージ用の突起を取り付けたマッサージ用器具は例えば下記の公開特許公報に記載されているように多数提案されている。
【特許文献１】特開２００１−５７９２１号公報
【特許文献２】特開２００３−２６５５６１号公報
【考案の開示】
【考案が解決しようとする課題】
【０００３】
上記特開２００１−５７９２１号公報に開示されている椅子はその背もたれ部に複数個所に孔を開けそこに指圧突起を着脱自体に装着しうる様に構成されている。
上記特開２００３−２６５５６１号公報に開示されているマッサージ機は背もたれ部に指圧用突起部となる膨縮するエアーバックを設けたものである。
【０００４】
上記の先行技術のマッサージ具はいずれも特製の椅子に組み込まれたもので、それを使用する場合は椅子ごと購入しなければ使用することができないという欠点がある。
【０００５】
本考案は、椅子とは別体になっていて、背もたれ部を有する既存の椅子に容易に取り付けられるマッサージ用器具を提供とすることを第1の目的とする。
【０００６】
本考案は、指圧用突起を使用者の症状や部位に対応して、その形状、材質や取り付け位置を交換しうるマッサージ用器具を提供することを第２の目的としている。
【課題を解決するための手段】
【０００７】
本考案のマッサージ用器具は、その一端に設けられたヒンジ部材によって開閉自在に結合された２枚の挟持板、該２枚の挟持板が互いに閉じる方向に付勢されたバネ部材および上記２枚の挟持板の少なくとも一方の表面に取り付けられた少なくとも１個の指圧用突起を備えている。このバネ部材としては板バネや螺旋バネを用いることができる。
【０００８】
上記指圧用突起としては球形、卵型、先端を丸くした円錐体等の形状をし、大小各種のサイズのものを用意することができる。 球形の指圧用突起の場合はその表面に多数の扁平球形の突起をはめ込んだ物を使用することもできる。これらの指圧用突起はねじ部材等により着脱自在に上記狭持板に取り付けることができるようになっている。
【０００９】
さらに、これら指圧用突起はプラスチック製、硬質ゴム製、陶器製、金属製、木製等各種の材料で構成することができる。
【考案の効果】
【００１０】
本考案のマッサージ用器具は、その一端に設けられたヒンジ部材によって開閉自在に結合された２枚の挟持板をバネ部材によって２枚の挟持板が互いに閉じる方向に付勢しているので、任意の椅子の背もたれ部に挟みつけて取り付けることができ、使用者は椅子に座った状態で首筋や背中をマッサージすることができる。
【００１１】
本考案のマッサージ用器具は、その指圧用突起として球形、卵型、先端を丸くした円錐体等の形状をし、大小各種のサイズのものを狭持板に着脱自在に取り付けることができるので、使用者の症状、マッサージをしたい部位に応じて指圧用突起を選択使用することができる。
【００１２】
本考案のマッサージ用器具は、指圧用突起としてプラスチック製、硬質ゴム製、陶器製、金属製、木製等各種の材料のものを狭持板に着脱自在に取り付けることができるので、使用者の症状や好みに応じて硬度や弾性の異なる材料の指圧用突起を選択使用することができる。
【考案を実施するための最良の形態】
【００１３】
本考案の最良の実施形態を次の実施例によって説明する。
【実施例１】
【００１４】
図１〜図２の１は本考案のマッサージ用器具、２１、２１は左右の挟持板、２２、２２は軸受用突起、３はヒンジ部材、４は板ばね、５は指圧用突起、２８は挟持板２１の側面に設けたくぼみ、２９は板ばね４をはめ込むための挟持板２１に設けた欠切部である。
【００１５】
挟持板２１は図３〜図６に示すように、挟持板２１の表面の中央には板ばね４の収納溝２４が削設され、その末端には板ばね４の先端を係止する係止溝２５が削設されている。さらに、その先端には指圧用突起５を螺合するための裸子溝２７が複数設けられている。また、挟持部２１の裏面には２つの軸受用突起２２、２２が突設されている。軸受用突起２２、２２の先端にはヒンジ部材３の回転軸を受け入れる凹溝２３、２３がそれぞれ設けられている。さらに、挟持部２１の裏面先端にはゴム製の滑り止め２６が貼り付けられている。
【００１６】
図７に示されるように、ヒンジ部材３の回転軸３１の左右末端には大きな円形板３２、３２が固定されている。図８に示されるように、板ばね４はＵ字形に湾曲されていてその両先端部は内方に折り曲げられていて挟持板２１の係止溝２５に挿入するための係止部４１を備えている。
【００１７】
図９に示されるように、指圧用突起５には挟持板２１の裸子溝２７に螺合するための裸子俸５４が突設されている。指圧用突起５は球形のもの（a）、球形の表面に多数の豆状の小突起５５を貼り付けたもの（ｂ）、卵形の突起５１を持つもの（ｃ）、先端が丸められた円錐形の突起５２をもつもの（ｄ）等各種用意されている。また先端が丸められた円錐形（ｄ）のものにはサイズの小さい突起５３を持つもの(e)もある。この小サイズのもの(e)は挟持板２１の多数の裸子溝２７に多数取り付けて使用すれば、幅の広い部位に対するマッサージをするのに有効である。なお、各突起５，５１，５２，５３の底面５６はフラットになっていて、各突起を挟持板２１に螺合したとき突起の底面５６は挟持板２１の表面に密着して各突起はぐらつくことがないようになる。
【００１８】
このマッサージ用器具１は２つの挟持板２１の軸受用突起２２、２２を対向させその凹溝２３、２３に回転軸３１を嵌め込む。この際、ヒンジ部材３の両側の円形板３２、３２は軸受用突起２２、２２を挟み付け、回転軸３１が離脱するのを防止する。この状態で板ばね４を挟持板２１の収納溝２４に沿って嵌め込み、その先端の係止部４１を係止溝２５に嵌め込んで固定する。
【００１９】
このマッサージ用器具１の使用法は、図１０に示すように椅子６の背もたれ部６１に２個取り付ける。その際、使用者の症状や好みに応じて指圧用突起５の種類と数を選んで裸子溝２７に螺合して取り付ける。
【図面の簡単な説明】
【００２０】
【図１】本考案のマッサージ用器具を示す斜視図。
【図２】マッサージ用器具の側面図。
【図３】挟持板の表面を示す平面図。
【図４】挟持板の裏面を示す平面図。
【図５】挟持板の側面図。
【図６】図３のＡ−Ａ線による断面図。
【図７】ヒンジ部材の斜視図。
【図８】板ばねの側面図。
【図９】各種の指圧突起の側面図。
【図１０】本考案のマッサージ用器具の使用状態を示す斜視図。
【符号の説明】
【００２１】
１  マッサージ用器具
２１  挟持板
３   ヒンジ部材
４  板ばね
５  指圧用突起
【図１】
0003119262.tif 000003
【図２】
0003119262.tif 000004
【図３】
0003119262.tif 000005
【図４】
0003119262.tif 000006
【図５】
0003119262.tif 000007
【図６】
0003119262.tif 000008
【図７】
0003119262.tif 000009
【図８】
0003119262.tif 000010
【図９】
0003119262.tif 000011
【図１０】
0003119262.tif 000012